(57)【特許請求の範囲】
【請求項１】
第一レンズを保持する第一レンズ保持部と、
前記第一レンズの光軸を挟んで互いに対向して配され、前記光軸と平行に前記第一レンズ保持部を案内する一対の第一案内軸と、
前記光軸に直交する面内において前記一対の第一案内軸と略９０度の位相の位置にそれぞれ配され、前記第一レンズ保持部を前記一対の第一案内軸に沿って駆動する一対の第一駆動部と、
前記第一レンズとは異なる第二レンズを保持する第二レンズ保持部と、
前記光軸を挟んで互いに対向して、前記一対の第一案内軸に隣接してそれぞれ配され、前記光軸と平行に前記第二レンズ保持部を案内する一対の第二案内軸と、
前記光軸に直交する面内において、前記一対の第一駆動部のいずれか一方と前記一対の第二案内軸のいずれか一方との間に配され、前記第二レンズ保持部を前記一対の第二案内軸に沿って駆動する第二駆動部と
を備え、
前記光軸と直交する面において、前記一対の第一案内軸と前記一対の第二案内軸とが、前記光軸上に中心を有する共通の円の周方向に沿って配されるレンズアセンブリ。
【請求項２】
前記一対の第一案内軸を結ぶ直線と、前記一対の第一駆動部を結ぶ直線とが交わる角度の小さい方は、
前記一対の第一案内軸を結ぶ直線と、前記一対の第二案内軸を結ぶ直線とが交わる角度の小さい方よりも大きい請求項１に記載のレンズアセンブリ。
【請求項３】
前記一対の第一案内軸の一方と前記一対の第二案内軸の一方とを結ぶ直線と、
前記一対の第一案内軸の他方と前記一対の第二案内軸の他方とを結ぶ直線とが略平行である請求項１または２に記載のレンズアセンブリ。
【請求項４】
前記一対の第一駆動部はそれぞれリニアアクチュエータを含み、前記第二駆動部は回転モータおよび前記回転モータに連結されたリードねじを含む請求項１から請求項３までのいずれか一項に記載のレンズアセンブリ。
【請求項５】
前記第二レンズ保持部は、前記一対の第二案内軸の前記一方に対して前記光軸に直交する面内の移動が規制されているとともに、前記一対の第二案内軸の他方に対して前記光軸に直交する面内において少なくとも一方向について移動可能な請求項１から請求項４までのいずれか一項に記載のレンズアセンブリ。
【請求項６】
前記一対の第一案内軸の少なくとも一端と前記一対の第二案内軸の少なくとも一端は、共通の部材に固定される請求項１から請求項５までのいずれか一項に記載のレンズアセンブリ。
【請求項７】
請求項１から請求項６までのいずれか１項に記載のレンズアセンブリと、
前記レンズアセンブリに対して前記光軸に平行に進退可能な沈胴部と、
前記光軸と直交する面内において、前記一対の第一駆動部のいずれか一方と、前記一対の第一案内軸および前記一対の第二案内軸のいずれかひとつとの間であって、前記第二駆動部が配されている位置とは異なる位置に配され、前記沈胴部を駆動する沈胴駆動部と
を備えるレンズ鏡筒。
【請求項８】
前記第一レンズおよび前記第二レンズと異なる第三レンズを保持する第三レンズ保持部と、
前記光軸を挟んで互いに対向した位置において前記沈胴部に対して一端を固定され、前記第三レンズ保持部を前記光軸と平行に案内する一対の第三案内軸と
を更に備え、
前記一対の第三案内軸は、前記光軸に直交する面内において、前記一対の第一案内部および前記一対の第二案内軸の近傍に配される請求項７に記載のレンズ鏡筒。
【請求項９】
請求項７または請求項８に記載のレンズ鏡筒と、
前記レンズ鏡筒を通じて入射した像光を撮像する撮像部と
を備える撮像装置。
【発明の詳細な説明】
【技術分野】
【０００１】
本発明は、レンズアセンブリ、レンズ鏡筒および撮像装置に関する。
【背景技術】
【０００２】
アクチュエータ等の非光学部品を搭載するレンズ鏡筒がある（特許文献１参照）。
［特許文献１］  特開２００３−００５０１０号公報
【発明の概要】
【発明が解決しようとする課題】
【０００３】
レンズ鏡筒における非光学部品は入射光の光路を避けて配置される。このため、非光学部品の搭載点数が増加するとレンズ鏡筒の外径が拡大する。
【課題を解決するための手段】
【０００４】
本発明の第一態様として、第一レンズを保持する第一レンズ保持部と、第一レンズの光軸を挟んで互いに対向して配され、光軸と平行に第一レンズ保持部を案内する一対の第一案内軸と、光軸に直交する面内において一対の第一案内軸と略９０度の位相の位置にそれぞれ配され、第一レンズ保持部を一対の第一案内軸に沿って駆動する一対の第一駆動部と、前記第一レンズとは異なる第二レンズを保持する第二レンズ保持部と、光軸を挟んで互いに対向して、一対の第一案内軸に隣接してそれぞれ配され、光軸と平行に第二レンズ保持部を案内する一対の第二案内軸と、光軸に直交する面内において、一対の第一駆動部のいずれか一方と一対の第二案内軸のいずれか一方との間に配され、第二レンズ保持部を一対の第二案内軸に沿って駆動する第二駆動部とを備えるレンズアセンブリが提供される。
【０００５】
本発明の第二態様として、上記レンズ鏡筒と、レンズ鏡筒に対して光軸に平行に進退可能な沈胴部と、一対の第一駆動部のいずれか一方と、一対の第一案内軸および一対の第二案内軸のいずれかひとつとの間であって、第二駆動部が配されている位置とは異なる位置に配され、沈胴部を駆動する沈胴駆動部とを備えるレンズ鏡筒が提供される。
【０００６】
本発明の第三態様として、上記レンズ鏡筒と、レンズ鏡筒を通じて入射した像光を撮像する撮像部とを備える撮像装置が提供される。
【０００７】
上記発明の概要は、この発明の必要な特徴の全てを列挙したものではない。これらの特徴群のサブコンビネーションもまた発明となり得る。
【図面の簡単な説明】
【０００８】
【図１】一眼レフカメラ１００の模式的断面図である。
【図２】一眼レフカメラ１００の模式的断面図である。
【図３】複数群一体アセンブリ２０１内部の斜視図である。
【図４】複数群一体アセンブリ２０１の部分的な背面図である。
【図５】複数群一体アセンブリ２０１の背面図である。
【図６】第一レンズ群２１０および第二レンズ群２２０の斜視図である。
【図７】第一レンズ群２１０および第二レンズ群２２０の背面図である。
【図８】レンズ鏡筒２００の内部配置を示す斜視図である。
【図９】レンズ鏡筒２００の内部配置を示す斜視図である。
【図１０】レンズ鏡筒２００の内部配置を示す背面図である。
【図１１】レンズ鏡筒２００の内部配置を示す斜視図である。
【図１２】レンズ鏡筒２００の内部配置を示す斜視図である。
【図１３】レンズ鏡筒２００の内部配置を示す背面図である。
【発明を実施するための形態】
【０００９】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【００１０】
図１は、レンズ鏡筒２００の模式的断面図である。一眼レフカメラ１００は、レンズ鏡筒２００およびカメラボディ３００を備える。図１において、一眼レフカメラ１００に装着されたレンズ鏡筒２００は、全長が伸びた伸胴状態にある。
【００１１】
なお、説明を簡潔にする目的で、下記の説明においては、カメラボディ３００に装着したレンズ鏡筒２００に対して物体側を、一眼レフカメラ１００の前側または先側と記載する。また、レンズ鏡筒２００に対して物体から遠い側を、一眼レフカメラ１００における後側または背面側と記載する。
【００１２】
更に、下記の説明において周方向と記載した場合は、レンズ鏡筒２００を光軸Ｘに直交する面で切った場合に現れる円形断面の周方向を意味する。また更に、下記の説明において径方向と記載した場合は、当該円形断面の径方向を意味する。
【００１３】
レンズ鏡筒２００は、光軸Ｘに沿って配置された第一レンズ群２１０、第二レンズ群２２０、第三レンズ群２３０、第四レンズ群２４０および第五レンズ群２５０により形成された光学系を備える。レンズ鏡筒２００は、レンズ側マウント部２６０に結合された固定筒２７０と、固定筒２７０に対して光軸Ｘ方向に移動する沈胴部２１４とを備える。
【００１４】
固定筒２７０は、後端に設けられたレンズ側マウント部により、カメラボディ３００のボディ側マウント部３６０に結合される。これにより、レンズ鏡筒２００およびカメラボディ３００は、一体的に取り扱うことができる一眼レフカメラ１００となる。
【００１５】
レンズ側マウント部２６０およびボディ側マウント部３６０の結合は予め定められた操作に従って解除できる。これにより、カメラボディ３００には、同じ規格のレンズ側マウント部２６０を有する他のレンズ鏡筒２００も装着できる。よって、一眼レフカメラ１００では、撮影意図にあわせてレンズ鏡筒２００を交換できる。
【００１６】
沈胴部２１４は、光軸Ｘと平行な方向に移動可能に固定筒２７０から支持される。沈胴部２１４は、駆動環２１７により駆動されて、固定筒２７０に対して光軸Ｘ方向に移動してレンズ鏡筒２００の全長を変化させる。駆動環２１７は、回転アクチュエータ２１８で駆動される駆動ギヤ２１９により回転駆動される。沈胴部２１４の進退を駆動する回転アクチュエータ２１８としては、出力トルクの大きなＤＣモータを好ましく用いることができる。
【００１７】
図示した伸胴状態のレンズ鏡筒２００においては、沈胴部２１４が固定筒２７０に対して前進して、レンズ鏡筒２００の全長が伸びている。これにより、第一レンズ群２１０と第三レンズ群２３０との間に、第二レンズ群２２０が移動する間隔が形成される。
【００１８】
第一レンズ群２１０は、第一レンズ保持部２１２に保持される。第一レンズ保持部２１２は、沈胴部２１４の先端に固定される。よって、第一レンズ群２１０は、沈胴部２１４が移動した場合に、沈胴部２１４と共に光軸Ｘ方向に移動する。レンズ鏡筒２００の物体側から第一レンズ群２１０に入射した入射光束は、沈胴部２１４の内側を通過して第二レンズ群２２０に至る。
【００１９】
なお、第一レンズ群２１０は、沈胴部２１４が伸胴または縮胴する場合に限って移動する。レンズ鏡筒２００の光学系が合焦または変倍する場合には、第一レンズ群２１０は移動しない。
【００２０】
第二レンズ群２２０は、第二レンズ保持部２２２により保持される。第二レンズ保持部２２２は、係合部２２４により第二群案内軸２２６に係合して支持される。第二群案内軸２２６の前端は、第一レンズ保持部２１２に対して固定されているので、第一レンズ保持部２１２が移動する場合は、第二群案内軸２２６に支持された第二レンズ保持部２２２も共に移動する。
【００２１】
また、第二レンズ保持部２２２は、リードねじ２２９に噛み合うラック部２２７を有する。リードねじ２２９は、回転アクチュエータ２２８と共にケース部２２１に収容され、第一レンズ保持部２１２に対して固定される。
【００２２】
回転アクチュエータ２２８が動作した場合、第二群案内軸２２６に案内された第二レンズ保持部２２２は、第一レンズ保持部２１２に対して光軸Ｘ方向に相対移動する。よって、レンズ鏡筒２００の光学系が変倍する場合に、第二レンズ群２２０は、第一レンズ群２１０に対して光軸Ｘ方向に相対移動する。
【００２３】
第三レンズ群２３０は、第三レンズ保持部２３２に保持される。第三レンズ保持部２３２は、ユニットケース２８０に対して固定される。ユニットケース２８０は、固定筒２７０に対して固定される。よって、第三レンズ群２３０は、レンズ鏡筒２００が伸胴状態と縮胴状態の間で変化する場合も、レンズ鏡筒２００が変倍または合焦する場合も、固定筒２７０に対して移動しない。
【００２４】
なお、第三レンズ群２３０は、防振レンズ２３４を含む。防振レンズ２３４は、防振アクチュエータ２３８により駆動されて光軸Ｘと交差する方向に変位する。これにより、レンズ鏡筒２００の変位により生じる像ぶれが補償される。
【００２５】
第四レンズ群２４０および第五レンズ群２５０はそれぞれ、第四レンズ保持部２４２および第五レンズ保持部２５２により保持される。第四レンズ保持部２４２および第五レンズ保持部２５２はそれぞれ、個別の第四群案内軸２４６または第五群案内軸２５６に支持される。
【００２６】
第四群案内軸２４６および第五群案内軸２５６は、共にユニットケース２８０に対して固定されている。よって、第四レンズ保持部２４２および第五レンズ保持部２５２は、第四群案内軸２４６または第五群案内軸２５６に案内されて、ユニットケース２８０に固定された第三レンズ群２３０に対して、光軸Ｘ方向に個別に移動する。これにより、第四レンズ群２４０および第五レンズ群２５０は、レンズ鏡筒２００の光学系の変倍または合焦に寄与する。
【００２７】
このように、ユニットケース２８０は、第三レンズ群２３０、第四レンズ群２４０および第五レンズ群２５０を直接または間接に支持して、複数のレンズ群を含むレンズアセンブリである複数群一体アセンブリ２０１を形成する。なお、ユニットケース２８０は、絞りユニット２３６も支持する。
【００２８】
カメラボディ３００は、ボディ側マウント部３６０の後方に配されたミラーユニット３７０を備える。ミラーユニット３７０の下方には合焦光学系３８０が配される。ミラーユニット３７０の上方にはフォーカシングスクリーン３５２が配される。
【００２９】
フォーカシングスクリーン３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。
【００３０】
ミラーユニット３７０の後方には、シャッタユニット３１０、ローパスフィルタ３３２、撮像素子３３０、基板３２０および表示部３４０が順次配される。液晶表示板等により形成される表示部３４０は、カメラボディ３００の背面に表われる。基板３２０には、制御部３２２および画像処理部３２４等が実装される。
【００３１】
ミラーユニット３７０は、メインミラー３７１およびサブミラー３７４を含む。メインミラー３７１は、メインミラー回動軸３７３により軸支されたメインミラー保持部３７２に支持される。
【００３２】
サブミラー３７４は、サブミラー回動軸３７６により軸支されたサブミラー保持部３７５に支持される。サブミラー保持部３７５は、メインミラー保持部３７２に対して回動する。よって、メインミラー保持部３７２が回動した場合、サブミラー保持部３７５もメインミラー保持部３７２と共に変位する。
【００３３】
メインミラー保持部３７２の前端が降下した場合、メインミラー３７１は、レンズ鏡筒２００から入射した入射光束上に斜めに位置する。メインミラー保持部３７２が上昇した場合、メインミラー３７１は、入射光束を避けた位置に退避する。
【００３４】
メインミラー３７１が入射光束上に位置する場合、レンズ鏡筒２００を通じて入射した入射光束は、メインミラー３７１に反射されてフォーカシングスクリーン３５２に導かれる。フォーカシングスクリーン３５２は、レンズ鏡筒２００の光学系と共役な位置に配されて、レンズ鏡筒２００の光学系が形成した像を可視化する。
【００３５】
フォーカシングスクリーン３５２上の像は、ペンタプリズム３５４およびファインダ光学系３５６を通じてファインダ３５０から観察される。ここで、ペンタプリズム３５４を通じて像を観察することにより、ファインダ３５０からは正立正像を観察できる。
【００３６】
測光センサ３９０は、ファインダ光学系３５６の上方に配され、分岐されさた入射光束の一部を受光する。測光センサ３９０は、被写体輝度を検出して、制御部３２２に撮影条件の一部である露出条件を算出させる。
【００３７】
メインミラー３７１は、入射光束の一部を透過するハーフミラー領域を有する。サブミラー３７４は、ハーフミラー領域から入射した入射光束の一部を、合焦光学系３８０に向かって反射する。合焦光学系３８０は、入射した入射光束の一部を焦点検出センサ３８２に導く。これにより、制御部３２２は、レンズ鏡筒２００の光学系を合焦させる場合に移動するレンズの目標位置を決定する。
【００３８】
上記のようなレンズ鏡筒２００およびカメラボディ３００を備える一眼レフカメラ１００においてレリーズボタンが半押しされると、焦点検出センサ３８２および測光センサ３９０が有効になり、被写体像を適切な撮影条件で撮影できる状態になる。次いで、レリーズボタンが全押しされると、メインミラー３７１およびサブミラー３７４が退避位置に移動して、シャッタユニット３１０が開く。これにより、レンズ鏡筒２００から入射した入射光束は、ローパスフィルタ３３２を通過して、撮像素子３３０に入射する。
【００３９】
図２は、一眼レフカメラ１００の模式的断面図である。図１と共通の要素には同じ参照番号を付して重複する説明を省く。図示の一眼レフカメラ１００において、レンズ鏡筒２００は縮胴状態にある。
【００４０】
縮胴状態のレンズ鏡筒２００において、沈胴部２１４は後退してカメラボディ３００に接近している。これにより、沈胴部２１４の先端に保持された第一レンズ群２１０も後退して第三レンズ群２３０に接近する。また、沈胴部２１４と共に第二群案内軸２２６が後退するので、第二群案内軸２２６に支持された第二レンズ群２２０も共に後退する。
【００４１】
更に、回転アクチュエータ２２８、リードねじ２２９も、第一レンズ保持部２１２および沈胴部２１４と共に後退する。リードねじ２２９の後端付近が、第三レンズ群２３０、第四レンズ群２４０および第五レンズ群２５０の側方に入り込むことにより、レンズ鏡筒２００の全長が短縮される。
【００４２】
このように、縮胴状態のレンズ鏡筒２００においては、第一レンズ群２１０、第二レンズ群２２０およびアクチュエータ２９１が後退して相互の間隔を詰め、レンズ鏡筒２００の全長を短縮している。これにより、レンズ鏡筒２００の携帯の便宜が図られる。
【００４３】
なお、第四レンズ群２４０および第五レンズ群２５０は、固定筒２７０に対して位置が固定された第三レンズ群２３０よりも後方に位置するので、レンズ鏡筒２００が伸胴状態から縮胴状態に変化する場合に移動しなくてもよい。しかしながら、次に伸胴した場合に、レンズ鏡筒２００を迅速に使用できる状態に遷移させる目的で、レンズ鏡筒２００を縮胴状態する動作の一部として、第四レンズ群２４０および第五レンズ群２５０を初期位置に移動させてもよい。
【００４４】
図３は、複数群一体アセンブリ２０１におけるユニットケース２８０内部の第四レンズ群２４０および第五レンズ群２５０を取り出してやや前方から見下ろした様子を示す斜視図である。図１および図２と共通の要素には同じ参照番号を付して重複する説明を省く。
【００４５】
第四レンズ群２４０を保持する第四レンズ保持部２４２は、光軸Ｘと平行に延在する一対の第四群案内軸２４５、２４６により支持される。第四群案内軸２４５、２４６は、光軸Ｘを中心として概ね対称に配される。第四レンズ保持部２４２の下部に設けられた嵌合部２４３は、図中左側の第四群案内軸２４５の外径と略同じ内径の嵌合穴を有する。
【００４６】
これにより、第四レンズ保持部２４２の嵌合部２４３は、光軸Ｘと直交する面内の移動を第四群案内軸２４５に規制される。換言すれば、嵌合部２４３が、第四群案内軸２４５の軸方向に移動することにより、第四レンズ保持部２４２は、第四群案内軸２４５に案内されつつ光軸Ｘ方向に移動できる。
【００４７】
また、第四レンズ保持部２４２の上部に設けられた係合部２４４は、図中右側の第四群案内軸２４６の外径と略同じ間隔の平行面を有する係合穴を有する。これにより、係合部２４４は、光軸Ｘに直交する面内において、少なくともひとつの方向に移動可能に第四群案内軸２４６に係合する。
【００４８】
このように、第四レンズ保持部２４２は、下側の第四群案内軸２４５を主軸とし、上側の第四群案内軸２４６を副軸として、一対の第四群案内軸２４５、２４６に支持され且つ案内される。一対の第四群案内軸２４５、２４６はユニットケース２８０に対して固定されているので、第四レンズ保持部２４２は、ユニットケース２８０に対して相対的に、光軸Ｘと平行な方向に移動できる。
【００４９】
また、第四レンズ保持部２４２は、図１および図２の断面に現れなかった一対のリニアアクチュエータ２４８、２４９により駆動される。リニアアクチュエータ２４８、２４９は、光軸Ｘを中心にして対称に、図中水平に配される。
【００５０】
第五レンズ群２５０を保持する第五レンズ保持部２５２は、光軸Ｘと平行に延在する一対の第五群案内軸２５５、２５６により支持される。第五群案内軸２５５、２５６は、光軸Ｘを中心として概ね対称に配される。第五レンズ保持部２５２の上部に設けられた嵌合部２５３は、図中右側の第五群案内軸２５５の外径と略同じ内径の嵌合穴を有する。
【００５１】
これにより、第五レンズ保持部２５２の嵌合部２５３は、光軸Ｘと直交する面内の移動を第五群案内軸２５５に規制される。換言すれば、嵌合部２５３が、第五群案内軸２５５の軸方向に移動することにより、第五レンズ保持部２５２は、第五群案内軸２５５に案内されつつ光軸Ｘ方向に移動できる。
【００５２】
また、第五レンズ保持部２５２の下部に設けられた係合部２５４は、図中左側の第五群案内軸２５６の外径と略同じ間隔の平行面を有する係合穴を有する。これにより、係合部２５４は、光軸Ｘに直交する面内において、少なくともひとつの方向に移動可能に第五群案内軸２５６に係合する。
【００５３】
このように、第五レンズ保持部２５２は、上側の第五群案内軸２５５を主軸とし、下側の第五群案内軸２５６を副軸として、一対の第五群案内軸２５５、２５６に支持され且つ案内される。一対の第五群案内軸２５５、２５６はユニットケース２８０に対して固定されているので、第五レンズ保持部２５２は、ユニットケース２８０に対して相対的に、光軸Ｘと平行な方向に移動できる。
【００５４】
また、第五レンズ保持部２５２は、図１および図２の断面に現れなかった回転アクチュエータ２５８およびリードねじ２５９を含む駆動機構により駆動される。回転アクチュエータ２５８は、光軸Ｘと平行に配されたリードねじ２５９とブラケット２５１により一体化され、リードねじ２５９を回転駆動する。
【００５５】
リードねじ２５９は、嵌合部２５３に結合されたラック部２５７と噛み合う。よって、回転アクチュエータ２５８が動作した場合に、第五レンズ保持部２５２は光軸Ｘと平行な方向に移動する。なお、回転アクチュエータ２５８としては、動作量を精度よく制御できるステッピングモータ等を好ましく使用できる。
【００５６】
図４は、図３に示した組立体の背面図である。図４には、第四レンズ保持部２４２、第五レンズ保持部２５２、第四群案内軸２４５、２４６、第五群案内軸２５５、２５６およびリニアアクチュエータ２４８、２４９の位置関係が示される。図３と共通の要素には同じ参照番号を付して重複する説明を省く。
【００５７】
一対の第四群案内軸２４５、２４６を結ぶ直線Ｐと、一対のリニアアクチュエータ２４８、２４９を結ぶ直線Ｑとがなす角度のうちの小さい方の角度を角度αとすると、角度αは、直角に近い角度となる。このように、第四群案内軸２４５、２４６と駆動部たるリニアアクチュエータ２４８、２４９とは、複数群一体アセンブリ２０１の周方向について、位相が略９０度の位置に配される。また、換言すれば、一対の第四群案内軸２４５、２４６と一対のリニアアクチュエータ２４８、２４９とは、複数群一体アセンブリ２０１の周方向について略等間隔に配される。
【００５８】
これにより、一対のリニアアクチュエータ２４８、２４９の駆動力は、一対の第四群案内軸２４５、２４６に対する嵌合部２４３および係合部２４４の摺動摩擦に対してバランスよく抗して、第四レンズ群２４０を効率よく駆動する。
【００５９】
また、一対の第五群案内軸２５５、２５６を結ぶ直線Ｒと、上記直線Ｐとがなす角度のうちの小さい方を角度βとした場合、角度αが直角よりも小さい場合は、角度αが角度βよりも大きくすることが望ましい。これにより、図中に一点鎖線で示す円Ｚ１の周上において、第四群案内軸２４５、２４６と第五群案内軸２５５、２５６とが互いに接近する。また、円Ｚ１の周上において、第四群案内軸２４５、２４６および第五群案内軸２５５、２５６は、リニアアクチュエータ２４８、２４９から離間する。
【００６０】
更に、一対の第四群案内軸２４５、２４６の間隔は、一対の第五群案内軸２５５、２５６の間隔に近く、一対の第四群案内軸２４５、２４６および一対の第五群案内軸２５５、２５６は、共通の円Ｚ１の近傍に配される。これにより、図中において、一方の第四群案内軸２４６と一方の第五群案内軸２５５とを結ぶ直線Ｓは、他方の第四群案内軸２４５と他方の第五群案内軸２５６とを結ぶ直線Ｔと略平行になる。
【００６１】
このような配置により、第四群案内軸２４５、２４６および第五群案内軸２５５、２５６と、リニアアクチュエータ２４８、２４９との間には、４つの大きな空間Ａ、Ｂ、Ｃ、Ｄが形成される。また、この空間Ａ、Ｂ、Ｃ、Ｄは、一対のリニアアクチュエータ２４８、２４９の径方向外側の端部を直径とする円Ｚ０の内側に形成される。
【００６２】
よって、これらの空間Ａ、Ｂ、Ｃ、Ｄは、複数群一体アセンブリ２０１の外径を拡大することなく利用できる。空間Ａ、Ｂ、Ｃ、Ｄには、例えば、第五レンズ群２５０の駆動部、配線、電子回路等を収容できる。また、他の部材、例えば第二レンズ群２２０の案内軸、駆動部、配線等、あるいは、沈胴部２１４の駆動部等を収容するスペースにすることができる。
【００６３】
なお、当該円Ｚ１の周上において、一対の第四群案内軸２４５、２４６において副軸となる一方の第四群案内軸２４６は、一対の第五群案内軸２５５、２５６において主軸となる一方の第五群案内軸２５５の近傍に配されてもよい。同様に、当該円Ｚ１の周上において、主軸となる他方の第四群案内軸２４５は、副軸となる他方の第五群案内軸２５６の近傍に配されてもよい。これにより、円Ｚ１の周方向について主軸の近傍に配される駆動部等を、レンズ群毎に互いに異なる空間に配置できる。次に、上記のような空間Ａ、Ｂ、Ｃ、Ｄの利用について具体的に例示する。
【００６４】
図５は、図３に示した部材をユニットケース２８０に組み込んだ状態を示す背面図である。図１から図４までと共通の要素には同じ参照番号を付して重複する説明を省く。
【００６５】
ユニットケース２８０は、第四レンズ保持部２４２、第五レンズ保持部２５２、第四群案内軸２４５、２４６、第五群案内軸２５５、２５６およびリニアアクチュエータ２４８、２４９を収容する。リニアアクチュエータ２４８、２４９は、ユニットケース２８０により支持され、ユニットケース２８０に対する相対位置を固定される。
【００６６】
第四群案内軸２４５、２４６および第五群案内軸２５５、２５６の前端は、ユニットケース２８０と一体的に形成されて第三レンズ群２３０を保持する第三レンズ保持部２３２に対して固定される。よって、第四群案内軸２４５、２４６により案内される第四レンズ保持部２４２は、一対のリニアアクチュエータ２４８、２４９に駆動されて、ユニットケース２８０に対して相対移動する。
【００６７】
また、ユニットケース２８０は、図４に示した空間Ａに対応する位置にアクチュエータ収容部２８２を有する。アクチュエータ収容部２８２には、第五レンズ保持部２５２を駆動する回転アクチュエータ２５８およびリードねじ２５９が収容される。
【００６８】
また、アクチュエータ収容部２８２には、第五レンズ保持部２５２の嵌合部２５３に結合されたラック部２５７が差し込まれる。ラック部２５７は、アクチュエータ収容部２８２の内部で、リードねじ２５９と噛み合う。これにより、第五レンズ保持部２５２は、回転アクチュエータ２５８により駆動され、第五群案内軸２５５、２５６に案内されつつユニットケース２８０に対して相対移動する。
【００６９】
更に、ユニットケース２８０は、図４に示した空間Ｂおよび空間Ｄに対応する位置に、複数群一体アセンブリ２０１の光軸Ｘ方向に形成された一対の太溝部２８４、２８６を有する。太溝部２８４、２８６の各々は、複数群一体アセンブリ２０１の径方向について外側に向かって開口している。更に、ユニットケース２８０は、図４に示した空間Ｃに対応する位置に、案内板２７２を有する。案内板２７２は、光軸Ｘと平行な方向に延在する。
【００７０】
図６は、レンズ鏡筒２００の内部における第一レンズ保持部２１２および第二レンズ保持部２２２を抜き出して斜め上方から見下ろした様子を示す斜視図である。図１および図２と共通の要素には同じ参照番号を付して重複する説明を省く。
【００７１】
第一レンズ群２１０を保持する第一レンズ保持部２１２は、レンズ鏡筒２００において最前端に位置する。このため、第一レンズ保持部２１２は、フード等のアクセサリを装着する場合に用いる外爪２１５を外周に有する。また、第一レンズ保持部２１２は、レンズ鏡筒２００において最も外径の大きな部材となる。
【００７２】
第二レンズ保持部２２２は、一対の第二群案内軸２２５、２２６により支持される。図中下側の第二群案内軸２２５は、前端を第一レンズ保持部２１２の裏面に設けられたフランジ部２１３に固定され、光軸Ｘと平行に後方に延在する。第二レンズ保持部２２２の下部に設けられた嵌合部２２３は、第二群案内軸２２５の外径と略同じ内径の嵌合穴を有する。
【００７３】
これにより、第二レンズ保持部２２２の嵌合部２２３は、光軸Ｘと直交する面内の移動を第二群案内軸２２５に規制される。換言すれば、嵌合部２２３は、第二群案内軸２２５の軸方向に移動可能であり、第二レンズ保持部２２２は、第二群案内軸２２５に案内されつつ光軸Ｘ方向に移動できる。
【００７４】
また、図中上側の第二群案内軸２２６も、前端をフランジ部２１３に固定され、光軸Ｘと平行に後方に延在する。第二レンズ保持部２２２の上部に設けられた係合部２２４は、第二群案内軸２２５の外径と略同じ間隔の平行面を有する係合穴を有する。これにより、係合部２２４は、光軸Ｘに直交する面内において、少なくともひとつの方向に移動可能に第二群案内軸２２６に係合し、他方の第二群案内軸２２５の回りに回転することを規制される。
【００７５】
このように、第二レンズ保持部２２２は、第一レンズ保持部２１２に対して固定された一対の第二群案内軸２２５、２２６から、下側の第二群案内軸２２５を主軸とし、上側の第二群案内軸２２６を副軸として支持され且つ案内される。よって、第二レンズ保持部２２２は、第一レンズ保持部２１２に対して相対的に、光軸Ｘと平行な方向に移動できる。
【００７６】
また、第一レンズ保持部２１２のフランジ部２１３からは、ケース部２２１およびフレキシブルプリント基板２１６が後方に向かって延在する。既に説明した通り、ケース部２２１には、回転アクチュエータ２２８、リードねじ２２９が収容される。
【００７７】
フレキシブルプリント基板２１６は柔軟で、第一レンズ保持部２１２の移動を妨げることなく、第一レンズ保持部２１２と固定筒２７０とを電気的に結合する。これにより、固定筒２７０に対して移動する第一レンズ保持部２１２に固定されている回転アクチュエータ２２８に電力を供給できる。
【００７８】
図７は、図６に示した組立体を、レンズ鏡筒２００の後方側から見た様子を示す図である。図６と共通の要素には同じ参照番号を付して重複する説明を省く。
【００７９】
一対の第二群案内軸２２５、２２６は、光軸Ｘを中心として概ね対称に、光軸Ｘを中心とする円の周方向についても離れて配置される。また、図の紙面に対して手前側に延在するケース部２２１は、光軸Ｘを中心とする円の周方向について、第二群案内軸２２５の側方に隣接して配置される。
【００８０】
更に、図の紙面に対して手前側に延在するフレキシブルプリント基板２１６は、光軸Ｘを中心とする円の周方向について、ケース部２２１と反対側であって、第二群案内軸２２５の側方に、隣接して配置される。ただし、フレキシブルプリント基板２１６の方が、ケース部２２１よりも、第二群案内軸２２５から離れて配置される。
【００８１】
図８は、レンズ鏡筒２００の内部配置を、斜め後方から見た様子を示す斜視図である。図１から図７までと共通の要素には同じ参照番号を付して重複する説明を省く。
【００８２】
図８には、図５に示した複数群一体アセンブリ２０１と、固定筒２７０と、図６および図７に示した第一レンズ群２１０および第二レンズ群２２０の組立体とが、レンズ鏡筒２００に組み込まれた状態で描かれる。ただし、第一レンズ保持部２１２は図示を省き、フランジ部２１３から後方が描かれる。
【００８３】
既に説明した通り、ユニットケース２８０の内側には、第五レンズ群２５０、第五レンズ保持部２５２、一対の第四群案内軸２４５、２４６、一対の第五群案内軸２５５、２５６、一対のリニアアクチュエータ２４８等が収容される。また、ユニットケース２８０に設けられたアクチュエータ収容部２８２には、ブラケット２５１に支持された回転アクチュエータ２５８等が収容される。
【００８４】
更に、上記の部材を収容したユニットケース２８０は、固定筒２７０の内側に挿入される。このとき、ユニットケース２８０の外側に形成された一対の太溝部２８４、２８６と固定筒２７０の内面との間には、光軸Ｘと平行な方向に、筒状の空間が形成される。ユニットケース２８０は、固定筒２７０の内部で移動または進退しないので、固定筒２７０に対して固定される。
【００８５】
上記のように固定筒２７０に固定された複数群一体アセンブリ２０１に対して、フランジ部２１３から後方に延在するケース部２２１は、空間Ｂにおいて、一方の太溝部２８６と固定筒２７０との間に挿通される。これにより、第一レンズ保持部２１２は、複数群一体アセンブリ２０１と干渉することなく固定筒２７０に対して進退できる。
【００８６】
図９は、レンズ鏡筒２００の内部配置を、斜め後方から見た様子を示す斜視図である。図１から図８までと共通の要素には同じ参照番号を付して重複する説明を省く。
【００８７】
図９には、図８と反対の側面からレンズ鏡筒２００の内部構造を見た様子が示される。図示の視点からは、ユニットケース２８０の他方の太溝部２８４と固定筒２７０との間に、沈胴部２１４を進退させる回転アクチュエータ２１８が収容されている。回転アクチュエータ２１８は、固定筒２７０の内側に配された駆動環２１７を回転駆動する。
【００８８】
また、図９の視点からは、複数群一体アセンブリ２０１における空間Ｃに、フランジ部２１３から後方に延在する案内板２７２が挿入されている様子が判る。案内板２７２は、ケース部２２１に収容された回転アクチュエータ２２８に電力を供給するフレキシブルプリント基板２１６を支持すると共に案内する。
【００８９】
図１０は、図８および図９に示した組立体を後方から見た様子を示す背面図である。図８および図９にあわせて、第一レンズ保持部２１２の図示は省いている。図１から図９までと共通の要素には同じ参照番号を付して重複する説明を省く。
【００９０】
図示のように、複数群一体アセンブリ２０１における空間Ａには、回転アクチュエータ２５８をはじめとする第五レンズ保持部２５２の駆動部が配される。また、空間Ｂには、ケース部２２１をはじめとする第二レンズ保持部２２２の駆動部が配される。更に、空間Ｃには、フレキシブルプリント基板２１６および案内板２７２が配される。また更に、空間Ｄには、沈胴部２１４を進退させる回転アクチュエータ２１８が配される。
【００９１】
このように、レンズ鏡筒２００においては、レンズ鏡筒２００の周方向について近接して配された第四群案内軸２４５、２４６および第五群案内軸２５５、２５６と、同じく周方向についてこれら案内軸から離れて配置した一対のリニアアクチュエータ２４８、２４９との間に形成された空間Ａ、Ｂ、Ｃ、Ｄに、回転アクチュエータ２１８、２２８、２５８と、フレキシブルプリント基板２１６とが配される。これによりレンズ鏡筒２００の径を拡大することなく、多くの非光学的部品を搭載する。
【００９２】
図１１は、図８、図９および図１０に示した組立体から固定筒２７０を取り除いた状態を示す斜視図である。図１から図１０までと共通の要素には同じ参照番号を付して重複する説明を省く。
【００９３】
図１１は、第一レンズ保持部２１２および複数群一体アセンブリ２０１の下面をやや前方から見上げた様子を示す。ユニットケース２８０の下面において、空間Ｂに形成された太溝部２８６に隣接して、細溝部２８８が設けられていることが判る。細溝部２８８には、第一レンズ保持部２１２のフランジ部２１３と共に進退する第二群案内軸２２５の後端が入り込む。これにより、第一レンズ保持部２１２の進退と共に第二群案内軸２２５が進退しても、複数群一体アセンブリ２０１と干渉することがない。
【００９４】
図１２は、第一レンズ保持部２１２および複数群一体アセンブリ２０１の下面をやや後方から見上げた様子を示す。フランジ部２１３の背面から後方に延在する案内板２７２に対してフレキシブルプリント基板２１６が貼着されて支持される様子が判る。
【００９５】
また、ユニットケース２８０の下面に、案内板２７２およびフレキシブルプリント基板２１６の後端が、ユニットケース２８０と干渉することなく後退できる空間が形成されていることが判る。
【００９６】
図１３は、レンズ鏡筒２００の内部配置を示す模式的な背面図である。図１から図１２までと共通の要素には同じ参照番号を付して重複する説明を省く。
【００９７】
図１３は、図１０に示したレンズ鏡筒２００から、第四レンズ保持部２４２および第五レンズ保持部２５２を取り除いた状態を示す。これにより、ユニットケース２８０の内側に、第二レンズ群２２０および第二レンズ保持部２２２が見える。
【００９８】
また、レンズ鏡筒２００の上部に位置する一方の第四群案内軸２４６の上方において、第二群案内軸２２６と第二レンズ保持部２２２の係合部２２４とが係合している様子が見える。更に、レンズ鏡筒２００の下部に位置する第四群案内軸２４５の下方において、第二群案内軸２２５と第二レンズ保持部２２２の嵌合部２２３とが嵌合している様子が見える。
【００９９】
このように、レンズ鏡筒２００においては、一対の第二群案内軸２２５、２２６が、一対の第四群案内軸２４５、２４６の近傍に配される。これにより、一対の第四群案内軸２４５、２４６を結ぶ直線Ｐと、一対の第二群案内軸２２５、２２６を結ぶ直線Ｕは、略平行になり、且つ、互いに接近する。よって、直線Ｕが既出の直線Ｑとなす角度のうち小さい角度γは、角度βに略等しい。このため、角度γについても、角度αおよび角度βの関係が当てはまる。
【０１００】
このように、レンズ鏡筒２００の周方向について、第二群案内軸２２５、２２６を、第四群案内軸２４５、２４６および第五群案内軸２５５、２５６の近傍に配することにより、第二群案内軸２２５、２２６がユニットケース２８０の細溝部２８８に入り込んだ場合であっても、空間Ａ、Ｂ、Ｃ、Ｄが狭くなることはない。よって、空間Ａ、Ｂ、Ｃ、Ｄを、回転アクチュエータ２１８、２２８、２５８、フレキシブルプリント基板２１６等の配置に割り当てることができる。
【０１０１】
ここまで、交換可能なレンズ鏡筒２００を備えた一眼レフカメラ１００を例にあげて説明したが、レンズ鏡筒２００とカメラボディ３００が一体に形成されたカメラにおいても上記の構造を形成できる。また、メインミラー３７１等を備えていないミラーレスカメラのレンズ鏡筒２００においても同様の構造を形成できる。
【０１０２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【０１０３】
１００  一眼レフカメラ、２００  レンズ鏡筒、２０１  複数群一体アセンブリ、２１０  第一レンズ群、２１２  第一レンズ保持部、２１３  フランジ部、２１４  沈胴部、２１５  外爪、２１６  フレキシブルプリント基板、２１７  駆動環、２１８、２２８、２５８  回転アクチュエータ、２１９  駆動ギヤ、２２０  第二レンズ群、２２１  ケース部、２２２  第二レンズ保持部、２２３、２４３、２５３  嵌合部、２２４、２４４、２５４  係合部、２２５、２２６  第二群案内軸、２２７、２５７  ラック部、２２９、２５９  リードねじ、２３０  第三レンズ群、２３２  第三レンズ保持部、２３４  防振レンズ、２３６  絞りユニット、２３８  防振アクチュエータ、２４０  第四レンズ群、２４２  第四レンズ保持部、２４５、２４６  第四群案内軸、２４８、２４９  リニアアクチュエータ、２５０  第五レンズ群、２５２  第五レンズ保持部、２５１  ブラケット、２５５、２５６  第五群案内軸、２５７  ラック部、２６０  レンズ側マウント部、２７０  固定筒、２７２  案内板、２８０  ユニットケース、２８２  アクチュエータ収容部、２８４、２８６  太溝部、２８８  細溝部、３００  カメラボディ、３１０  シャッタユニット、３２０  基板、３２２  制御部、３２４  画像処理部、３３０  撮像素子、３３２  ローパスフィルタ、３４０  表示部、３５０  ファインダ、３５２  フォーカシングスクリーン、３５４  ペンタプリズム、３５６  ファインダ光学系、３６０  ボディ側マウント部、３７０  ミラーユニット、３７１  メインミラー、３７２  メインミラー保持部、３７３  メインミラー回動軸、３７４  サブミラー、３７５  サブミラー保持部、３７６  サブミラー回動軸、３８０  合焦光学系、３８２  焦点検出センサ、３９０  測光センサ
【図１】
0005915038.tif 000002
【図２】
0005915038.tif 000003
【図３】
0005915038.tif 000004
【図４】
0005915038.tif 000005
【図５】
0005915038.tif 000006
【図６】
0005915038.tif 000007
【図７】
0005915038.tif 000008
【図８】
0005915038.tif 000009
【図９】
0005915038.tif 000010
【図１０】
0005915038.tif 000011
【図１１】
0005915038.tif 000012
【図１２】
0005915038.tif 000013
【図１３】
0005915038.tif 000014